(57)【要約】【課題】  不正な意図に基づく偽造や改ざんの防止、真贋判定を目的とし、セキュリティの保持が可能な真贋判定用媒体等を提供する。【解決手段】  円偏光性を有する色彩可変印刷とホログラムを融合させた脆質性を有する真贋判定用媒体１において、ＰＥＴ位相差層４の上に色彩可変印刷層３ａもしくは３ｂを、また下に剥離層５を介して色彩可変印刷層３ａもしくは３ｂを設ける。万が一、真贋判定用媒体１が剥離界面１１より剥がされたとしても、下地のホログラムの色彩可変印刷層３ａもしくは３ｂの偏光効果により、セキュリティ性を保持できる。【選択図】  図１
2007093675.tif 000002
【特許請求の範囲】
【請求項１】
配向性を有する基材において、前記基材の一方の表面上に、入射光のうち左円偏光、または、右円偏光のいずれか一方を反射する第１の光選択反射性層を有し、前記基材のもう一方の表面上に、剥離層を介して第２の光選択反射性層を有することを特徴とする真贋判定用媒体。
【請求項２】
前記第２の光選択反射層に積層された配向膜を介して、ホログラム形成層を有することを特徴とする請求項１記載の真贋判定用媒体。
【請求項３】
前記ホログラム形成層は、前記第１、第２の光選択反射性層以外の隠しセキュリティをホログラムとして記録していることを特徴とする請求項１記載の真贋判定用媒体。
【請求項４】
前記ホログラム形成層上に、透明金属薄膜層を介して粘着剤層を積層していることを特徴とする請求項１記載の真贋判定用媒体。
【請求項５】
前記第１、第２の光選択反射層は、コレステリック液晶層であることを特徴とする請求項１〜請求項４いずれか記載の真贋判定用媒体。
【請求項６】
前記請求項１〜請求項５いずれか記載の真贋判定用媒体が、真贋判定対象である情報記録体の表面に積層されているか、あるいは、前記情報記録体の一部に可視可能に有することを特徴とする真贋判定可能な情報記録体。
【発明の詳細な説明】
【技術分野】
【０００１】
本発明は、不正な意図に基づく偽造や改ざんの防止、真贋判定を目的とし、セキュリティの保持が可能な真贋判定用媒体に関する。
【背景技術】
【０００２】
例えば、クレジットカード、預貯金用カード、各種金券、もしくは身分証明書等は、偽造されたり改ざんされて不正に使用されると色々な支障を招くので、偽造や改ざんによる損害を防止するために、そのものの真正性を識別できる機能を有することが望まれる。また、例えば腕時計、皮革製品、貴金属製品、宝飾品、衣類、バッグ等の高級品、オーディオ製品、電化製品、化粧品、または媒体に記録された音楽ソフト、映像ソフト、ゲームソフト、もしくはコンピュータソフトも偽造の対象となるため、同様に真正性を識別するための機能を有することが望まれる。
【０００３】
従来、上記の物品を含めた様々な物品の真正性の識別を可能とする目的で、構造の精密さから製造上の困難性を有するホログラムが多用されている。しかし、ホログラムの製造方法は専門家には知られており、また、ホログラムが精密なものであるため、真正なホログラムと偽造されたホログラムとの区別は困難である。
【０００４】
そこで、ホログラムに代わるものとして、基材と基材の一方の面に形成され、入射した光のうち左回り偏光、または右回り偏光のいずれか一方の光のみを反射する光選択反射層と光選択反射層の少なくとも一部に形成され、新製品を判定する判定情報を備える判定部とを有する真贋判定用媒体が提案された。（例えば、特許文献１、特許文献２参照）
【０００５】
【特許文献１】特願２００３−１９００８８号公報
【特許文献２】特願２００４−２３７１９４号公報
【発明の開示】
【発明が解決しようとする課題】
【０００６】
しかしながら、円偏光性を有するホログラムラベルは脆質性を有するものの、円偏光性印刷部を有するベースフィルムを綺麗に剥がした場合、真贋判定用媒体の下地となるホログラム部の円偏光性がなくなり、セキュリティ性が低下する。また、下地のホログラム部だけを偽造し、その上に剥がした円偏光性印刷部を有するベースフィルムを貼り付けることにより偽造ラベルを真正ラベルとすることも可能となる。
【０００７】
本発明は、このような問題に鑑みてなされたもので、その目的とするところは不正な意図に基づく偽造や改ざんの防止、真贋判定を目的とし、セキュリティの保持が可能な真贋判定用媒体等を提供することにある。
【課題を解決するための手段】
【０００８】
前述した目的を達成するために第１の発明は、配向性を有する基材において、前記基材の一方の表面上に、入射光のうち左円偏光、または、右円偏光のいずれか一方を反射する第１の光選択反射性層を有し、前記基材のもう一方の表面上に、剥離層を介して第２の光選択反射性層を有することを特徴とする真贋判定用媒体である。
【０００９】
真贋判定用媒体の第１、第２の光選択反射層はコレステリック液晶層で、色彩変化を有する。
真贋判定用媒体は、第２の光選択反射層に積層された配向膜を介して、ホログラムを形成している。このホログラム形成層は、マイクロ文字、またはレーザ再生機能等の隠しセキュリティをホログラムとして記録している。
【００１０】
ホログラム形成層上には、透明金属薄膜層を介して粘着層を積層しており、真贋判定を行う物品に容易に適用することができる。
【００１１】
第２の発明は、真贋判定用媒体が、真贋判定対象である情報記録体の表面に積層されているか、あるいは、前記情報記録体の一部に可視可能に有することを特徴とする真贋判定可能な情報記録体である。
【発明の効果】
【００１２】
本発明によれば、不正な意図に基づく偽造や改ざんの防止、真贋判定を目的とし、セキュリティの保持が可能な真贋判定用媒体等を提供することができる。
【発明を実施するための最良の形態】
【００１３】
以下、添付図面を参照しながら、本発明に係る真贋判定用媒体等の好適な実施形態について詳細に説明する。
【００１４】
最初に、図１、２、３、４、５、６、７、８を参照しながら、本発明の実施の形態に係る真贋判定用媒体の構成について説明する。
図１、２、３、４、５、６、７、８は、真贋判定用媒体１の断面の積層構造を示す図である。
【００１５】
図１に示すように、本発明の真贋判定用媒体１は、ポリエチレンテレフタレートＰＥＴ（polyethylene terephthalate）位相差層４の表面に、見る角度により異なる色を与える色彩可変印刷層３ａもしくは３ｂを積層し、ＰＥＴ位相差層４のもう一方の面に剥離層５を介して配向膜６、色彩可変印刷層３ａもしくは３ｂ、ホログラム形成層７、透明金属蒸着層８、粘着剤層９を積層する。偽造あるいは改ざんを目的として故意にＰＥＴ位相差層４を剥がした場合でも、ＰＥＴ位相差層４の下にある色彩可変印刷層３ａの偏光効果によりセキュリティ性を保持できる。
【００１６】
保護層２は、色彩可変印刷層３ａもしくは３ｂを外力による損傷から保護する層であり、真贋判定用媒体１の最上層に積層される。保護層２は、真贋判定のための情報が目視しやすいように、透明であることが望ましい。
保護層２は、セルロース系樹脂、ポリイミド系樹脂、ポリスチレン系樹脂、ポリエステル系樹脂などを材料とする。
【００１７】
色彩可変印刷層３ａ、３ｂは、コレステリック液晶層からなる。配向状態にあるコレステリック液晶層は、入射した光のうち、左円偏光もしくは右円偏光のいずれか一方のみを反射する性質を有しており、色彩可変印刷層３ａ、３ｂは右円偏光のみを反射する。
【００１８】
コレステリック液晶層は、コレステリック液晶を含む組成物である溶剤溶液を塗布し、乾燥させることにより形成することができる。あるいは、重合性のコレステリック液晶組成物を用いて、紫外線重合性組成物を調整して用い、塗布及び乾燥後に紫外線を照射して重合させて形成することができる。
色彩可変印刷層３ａ、３ｂは、コレステリック液晶インキを使用して、グラビア印刷などの凹版印刷、オフセット方式などの平版印刷、凸版印刷、スクリーン印刷またはインクジェット印刷等、通常用いられる方法で印刷することにより形成することができる。コレステリック液晶インキは、顔料そして左円偏光または右円偏光のいずれか一方の光のみを反射するコレステリック液晶分子を含んでいる。
【００１９】
色彩可変印刷層３ａ、３ｂはパターン形成してもよいし、ベタに積層してもよい。また、色彩可変印刷層３ａ、３ｂは上下で同じ円偏光性としてもよいし、異なる円偏光性でもよい。さらに、色彩可変印刷層３ａ、３ｂは、上下で同材料を用いて同じ色彩変化としてもよいし、別材料を用いて異なる色彩変化となるようにしてもよい。
【００２０】
図１の真贋判定用媒体１は、上部は色彩変化Ａの色彩可変印刷層３ａをパターン形成で、下部は色彩変化Ａの色彩可変印刷層３ａをベタに積層している。また、図２は上部は色彩変化Ｂの色彩可変印刷層３ｂをパターン形成で、下部は色彩変化Ａの色彩可変印刷層３ａをベタに積層している。図３は、上部は色彩変化Ａの色彩可変印刷層３ａをベタに、下部は色彩変化Ａの色彩可変印刷層３ａをベタに積層した真贋判定用媒体１、図４は、上部は色彩変化Ｂの色彩可変印刷層３ｂをベタに、下部は色彩変化Ａの色彩可変印刷層３ａをベタに積層した真贋判定用媒体１、図５は、上部は色彩変化Ａの色彩可変印刷層３ａをベタに、下部は色彩変化Ａの色彩可変印刷層３ａをパターン形成で積層した真贋判定用媒体１、図６は、上部は色彩変化Ｂの色彩可変印刷層３ｂをベタに、下部は色彩変化Ａの色彩可変印刷層３ａをパターン形成して積層した真贋判定用媒体１、図７は、上部は色彩変化Ａの色彩可変印刷層３ａをパターン形成で、下部は色彩変化Ａの色彩可変印刷層３ａをパターン形成で積層した真贋判定用媒体１、図８は、上部は色彩変化Ｂの色彩可変印刷層３ｂをパターン形成で、下部は色彩変化Ａの色彩可変印刷層３ａをパターン形成で積層した真贋判定用媒体１である。
【００２１】
ＰＥＴ位相差層４は、入射した光を複屈折して、偏光方向によって異なる位相を生じさせ、位相差を付与する層である。複屈折は、媒質の屈折率が偏光方向によって均質でないために生じる現象であり、このような媒質を透過した光の位相差σは、σ＝２π（ｎｅ−ｎｏ）ｄ／λで与えられることが知られている。ここで、ｎｅは異常光線屈折率、ｎｏは常光線屈折率、ｄは媒質の厚さ、λは光の波長である。すなわち、ある一定の厚さｄの媒質に対して、位相差σは光の波長λに依存する。ＰＥＴ位相差層４に波長λ＝２（ｎｅ−ｎｏ）ｄなる右円偏光を入射すると、その右円偏光は透過しながら位相差σ＝π（すなわち、１／２波長）を与える。そのため、入射した右円偏光は左円偏光に変換されて出射し、また、入射した左円偏光は右円偏光に変換されて出射する。
【００２２】
上部、下部の色彩可変印刷層３ａもしくは３ｂは右円偏光であるため、上部の色彩可変印刷層３ａもしくは３ｂを入射した自然光のうち、右円偏光は上部の色彩可変印刷層３ａもしくは３ｂで反射され、左円偏光は上部の色彩可変印刷層３ａもしくは３ｂを透過する。透過した左円偏光は、ＰＥＴ位相差層４を経て右円偏光に変換される。変換された右円偏光は、下部の色彩可変印刷層３ａもしくは３ｂで反射される。この反射光は右円偏光で、再びＰＥＴ位相差層４を透過して左円偏光に変換される。変換された左円偏光は、上部の色彩可変印刷層３ａもしくは３ｂを経て出射する。
従って、上部の色彩可変印刷層３ａもしくは３ｂは右円偏光板を用いて見ることができ、下部の色彩可変印刷層３ａもしくは３ｂは左円偏光板を用いて見ることができる。このように右円偏光板、左円偏光板を用いて、真贋の判定を行うことが可能となる。
【００２３】
剥離層５は、ＰＥＴ位相差層４の色彩可変印刷層３ａもしくは３ｂを積層した面と反対側面に形成する。
剥離層５を設けることにより、偽造や改ざんを目的として物品に接着した真贋判定用媒体１を剥がそうとした場合、真贋判定用媒体１が粘着剤層９からではなく、剥離界面１１で剥がれるようにする。
【００２４】
配向膜６は、ポリビニルアルコール樹脂（ＰＶＡ）、ポリイミド樹脂等の一般に配向膜として使用し得るものであれば、いずれでもよい。
【００２５】
ホログラム形成層７は、マイクロ文字あるいはレーザ再生機能等、色彩可変印刷層３ａ、３ｂ以外の隠しセキュリティをホログラムとして記録することもできる。ホログラム形成層７は、色彩可変印刷層３ａ、３ｂと比べて偽造が容易ではあるが、隠しセキュリティを施すことにより、万が一、色彩可変印刷層３ａ、３ｂのような光選択反射性材料による偽造品が出てきたとしても、ホログラム形成層７内の隠しセキュリティをチェックし、真贋を判定することが可能となる。
【００２６】
粘着剤層９は、真贋判定を必要とする物品に真贋判定用媒体１を接着するための層で、ホログラム形成層７に対して透明金属蒸着層８を介して積層される。
粘着剤層９は、アクリル系接着剤、天然ゴム系接着剤、合性ゴム系接着剤またはシリコンゴム系接着剤等を塗布して形成し、シート等のセパレータ１０に一時的に接着しておく。
【００２７】
次に、図９、１０、１１、１２、１３を参照しながら、真贋判定用媒体１を用いた真贋の判定方法について説明する。
図９は、真贋判定用媒体１を真上より見た図、図１０は、真贋判定用媒体１に右円偏光板１２Ｒを被せた状態の図、図１１は、真贋判定用媒体１に左円偏光板１２Ｌを被せた状態の図、図１２は、真贋判定用媒体１を剥離界面１１で剥がした状態の図、図１３は、剥離界面１１で剥がした真贋判定用媒体１に左円偏光板１２Ｌを被せた状態の図である。
【００２８】
図９は、図８に示す真贋判定用媒体１を真上より見た図である。
真贋判定用媒体１は、上部の色彩可変印刷層３ｂによりパターン形成された「ＡＢＣＤ」という文字と、下部の色彩可変印刷層３ａにより形成された「ＳＥＣＵＲＩＴＹ」という文字と、ホログラム形成層７により形成されたホログラム絵柄７’を有する。
「ＡＢＣＤ」「ＳＥＣＵＲＩＴＹ」の文字の部分は、コレステリック液晶のらせんピッチに基づいて、それぞれ色彩変化Ａ、色彩変化Ｂで着色して見える。
【００２９】
図１０は、図９に示す真贋判定用媒体１に右円偏光板１２Ｒを被せた状態を示した図である。右円偏光板１２Ｒを真贋判定用媒体１の上に被せると、下部の色彩可変印刷層３ａで形成される「ＳＥＣＵＲＩＴＹ」という文字は、ＰＥＴ位相差層４により偏光方向が右円偏光から左円偏光に変換されるため、右円偏光板１２Ｒを透過することができず、目視できない。上部の色彩可変印刷層３ｂで形成される「ＡＢＣＤ」という文字は右円偏光であるため、右円偏光板１２Ｒを透過し、目視することができる。
【００３０】
図１１は、図９に示す真贋判定用媒体１に左円偏光板１２Ｌを被せた状態を示した図である。左円偏光板１２Ｌを真贋判定用媒体１の上に被せると、下部の色彩可変印刷層３ａで形成される「ＳＥＣＵＲＩＴＹ」という文字は、ＰＥＴ位相差層４により偏光方向が右円偏光から左円偏光に変換されるため、左円偏光板１２Ｌを透過し、目視することができる。上部の色彩可変印刷層３ｂで形成される「ＡＢＣＤ」という文字は右円偏光であるため、左円偏光板１２Ｌを透過することができず、目視できない。
【００３１】
図１２に示すように、偽造、改ざんを目的として物品に接着された図８に示す真贋判定用媒体１を剥がそうとした場合、剥離層５があるため、真贋判定用媒体１は粘着剤層９から剥がれることはなく、剥離界面１１より上の層のみが剥がれる。剥離界面１１より上にあった保護層２、色彩可変印刷層３ｂ、ＰＥＴ位相差層４は剥がされてしまったため、真贋判定用媒体１は、下部の色彩可変印刷層３ａにより形成された「ＳＥＣＵＲＩＴＹ」という文字と、ホログラム形成層７により形成されたホログラム絵柄７’を有する。
【００３２】
剥離界面１１より剥がした状態の真贋判定用媒体１ではＰＥＴ位相差層４も剥がされてしまっているため、下部の色彩可変印刷層３ａで形成される「ＳＥＣＵＲＩＴＹ」という文字は、ＰＥＴ位相差層４による右円偏光から左円偏光に変換が行われず、右円偏光のままである。従って、図１３に示すように、左円偏光板１２Ｌを真贋判定用媒体１の上に被せると、色彩可変印刷層３ａで形成される「ＳＥＣＵＲＩＴＹ」という文字は左円偏光板１２Ｌを透過することができず、目視できない。逆に、右円偏光板１２Ｒを真贋判定用媒体１の上に被せると、色彩可変印刷層３ａで形成される「ＳＥＣＵＲＩＴＹ」という文字は右円偏光板１２Ｒを透過し、目視することができる。
【００３３】
以上、説明したように本実施によれば、不正な意図に基づく偽造や改ざんの防止、真贋判定を目的とし、セキュリティの保持が可能な真贋判定用媒体等を提供できる。
【００３４】
ＰＥＴ位相差層の上下に２種類の色彩可変印刷層を形成することにより、剥離界面より上の層を綺麗に剥がしたとしても、下地となるホログラム側の色彩可変印刷層によりセキュリティを保持することができる。
また、下部の色彩可変印刷層をホログラムとして形成することにより、セキュリティ性を向上することができる。
【００３５】
色彩可変印刷層はコレステリック液晶層とすることにより、コレステリック液晶を含む組成物により、凹版印刷、オフセット方式などの平版印刷、凸版印刷、スクリーン印刷またはインクジェット印刷等、通常用いられる方法で印刷することにより形成することができる。従って、印刷処理により、色彩可変印刷層を文字や絵柄等の適当なパターンを容易に形成できる。
【００３６】
右円偏光板、左円偏光板のような判別具を用いた真贋判定用媒体の真贋を判定したり、あるいは、ホログラムにマイクロ文字、レーザ再生機能のような隠しセキュリティを施すことにより、偽造防止性、真贋判別の精度を向上することができる。
【００３７】
さらに、真贋判定用媒体の粘着剤層を介して、容易に真贋判定を必要とする物品に適用することが可能となる。また、真贋判定用媒体を黒色の基材に貼付するか、あるいは、粘着剤層に黒染料等を混入して黒色とすることにより、色彩可変印刷層の色彩可変効果、偏光性効果を向上することができる。
【００３８】
以上、添付図面を参照しながら本発明に係る真贋判定用媒体の好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００３９】
【図１】真贋用判定媒体１の断面の積層構造を示す図（層構成１）
【図２】真贋用判定媒体１の断面の積層構造を示す図（層構成２）
【図３】真贋用判定媒体１の断面の積層構造を示す図（層構成３）
【図４】真贋用判定媒体１の断面の積層構造を示す図（層構成４）
【図５】真贋用判定媒体１の断面の積層構造を示す図（層構成５）
【図６】真贋用判定媒体１の断面の積層構造を示す図（層構成６）
【図７】真贋用判定媒体１の断面の積層構造を示す図（層構成７）
【図８】真贋用判定媒体１の断面の積層構造を示す図（層構成８）
【図９】真贋判定用媒体１を真上より見た図
【図１０】真贋判定用媒体１に右円偏光板１２Ｒを被せた状態の図
【図１１】真贋判定用媒体１に左円偏光板１２Ｌを被せた状態の図
【図１２】真贋判定用媒体１を剥離界面１１で剥がした状態の図
【図１３】剥離界面１１で剥がした真贋判定用媒体１に左円偏光板１２Ｌを被せた状態の図
【符号の説明】
【００４０】
１………真贋判定用媒体
２………保護層
３ａ、３ｂ………色彩可変印刷層
４………ＰＥＴ位相差層
５………剥離層
６………配向膜
７………ホログラム形成層
８………透明金属蒸着層
９………粘着剤層
１０………セパレータ
１１………剥離界面
【図１】
2007093675.tif 000003
【図２】
2007093675.tif 000004
【図３】
2007093675.tif 000005
【図４】
2007093675.tif 000006
【図５】
2007093675.tif 000007
【図６】
2007093675.tif 000008
【図７】
2007093675.tif 000009
【図８】
2007093675.tif 000010
【図９】
2007093675.tif 000011
【図１０】
2007093675.tif 000012
【図１１】
2007093675.tif 000013
【図１２】
2007093675.tif 000014
【図１３】
2007093675.tif 000015